(57)【要約】【課題】器具情報の登録作業が複雑であり、長時間の作業も必要であるため、作業者の負担が大きいということを解消する。【解決手段】流量を計測する流量計測手段７と、計測された流量値が継続する時間長さの流量情報を記憶する流量情報記憶手段８と、ガス流路６に接続されたガス器具９の定格出力情報を入力する情報入力手段１０と、情報入力手段１０より入力された定格出力情報を流量情報に換算する情報換算手段１１と、情報換算手段１１から得られた流量情報によって器具情報を登録する器具登録手段１２と、計測した流量情報と登録された流量情報を比較して使用器具を判別する器具判別手段１３とを備えた構成としてある。【選択図】図１
2008107270.tif 000002
【特許請求の範囲】
【請求項１】
ガス流路に流れる流量を計測する流量計測手段と、前記流量計測手段の流量値と計測された流量値が継続する時間長さの流量情報を記憶する流量情報記憶手段と、前記ガス流路に接続されたガス器具の定格出力情報を入力する情報入力手段と、前記情報入力手段より入力された定格出力情報を流量情報に換算する情報換算手段と、前記情報換算手段から得られた流量情報によって器具情報を登録する器具登録手段と、前記流量計測手段で計測した流量情報と前記器具登録手段によって登録された流量情報を比較して使用器具を判別する器具判別手段とを備えた流量計測装置。
【請求項２】
ガス器具の定格出力情報からは一部の流量情報を得ることができない場合は、不足分の流量情報を補完登録可能な構成となっている請求項１に記載の流量計測装置。
【請求項３】
情報入力手段は、任意に着脱可能な構成となっている請求項１または２に記載の流量計測装置。
【請求項４】
情報入力手段及び情報換算手段は、任意に着脱可能な構成となっている請求項１または２に記載の流量計測装置。
【請求項５】
情報入力手段は、無線で接続する構成となっている請求項１または２に記載の流量計測装置。
【請求項６】
情報入力手段及び情報換算手段は、無線で接続する構成となっている請求項１または２に記載の流量計測装置。
【請求項７】
流量計測手段は、瞬時流量計測手段としての超音波流量計を用いた請求項１〜６のいずれか１項記載の流量計測装置。
【発明の詳細な説明】
【技術分野】
【０００１】
本発明は、流路に接続された器具を、流量情報を基に判別する器具判別手段を備えた流量計測装置に関するものである。
【背景技術】
【０００２】
従来、この種の流量計測装置は、図７に示すように、ガス流路に流れるガス流量を計測するガス流量計測手段１と、この計測結果より流量の増加を検出する流量増加検出手段２と、この流量増加に伴うガス流量の瞬時増減変化を検出する流量増減検出手段３と、前記瞬時増減変化検出時に新たなガス燃焼器具の使用開始を判定する器具判定手段４と、前記流量増加検出手段で検出されたガス流量の増加分を、前記新たなガス燃焼器具の使用開始に伴うガス流量の増加分として登録する流量登録手段５とを備えていた（例えば、特許文献１参照）。
【０００３】
上記構成によって、新たにガス燃焼器具の使用を開始した場合にガス流量は瞬時に増減変化して安定したガス流量になる事に着目し、増減変化を判定時に新たなガス燃焼器具の使用開始を判定することで、簡易な方法で新たなガス燃焼器具の使用開始を判定し、新たなガス燃焼器具の使用によるガス増加分を登録することができるものである。
【特許文献１】特開２００２−１７４５４２号公報
【発明の開示】
【発明が解決しようとする課題】
【０００４】
しかしながら、前記従来の構成では、器具情報の登録作業が複雑であり、長時間の作業も必要であるため、作業者の負担が大きいという課題があった。
【課題を解決するための手段】
【０００５】
前記従来の課題を解決するために、本発明の流量計測装置は、ガス流路に流れる流量を計測する流量計測手段と、前記流量計測手段の流量値と計測された流量値が継続する時間長さの流量情報を記憶する流量情報記憶手段と、前記ガス流路に接続されたガス器具の定格出力情報を入力する情報入力手段と、前記情報入力手段より入力された定格出力情報を流量情報に換算する情報換算手段と、前記情報換算手段から得られた流量情報によって器具情報を登録する器具登録手段と、前記流量計測手段で計測した流量情報と前記器具登録手段によって登録された流量情報を比較して使用器具を判別する器具判別手段とを備えたものである。
【０００６】
これによって、登録作業を行うガス器具の定格出力情報を事前に準備しておけば、その定格出力情報を前記情報入力手段より入力するだけで器具情報の登録作業を完了させることが可能となり、作業者の負担を軽減することが可能となる。
【発明の効果】
【０００７】
本発明の流量計測装置は、登録作業を行うガス器具の定格出力情報を事前に準備しておけば、その定格出力情報を前記情報入力手段より入力するだけで器具情報の登録作業を完了させることができるため、作業者の負担を軽減することができる。
【発明を実施するための最良の形態】
【０００８】
第１の発明は、ガス流路に流れる流量を計測する流量計測手段と、前記流量計測手段の流量値と計測された流量値が継続する時間長さの流量情報を記憶する流量情報記憶手段と、前記ガス流路に接続されたガス器具の定格出力情報を入力する情報入力手段と、前記情
報入力手段より入力された定格出力情報を流量情報に換算する情報換算手段と、前記情報換算手段から得られた流量情報によって器具情報を登録する器具登録手段と、前記流量計測手段で計測した流量情報と前記器具登録手段によって登録された流量情報を比較して使用器具を判別する器具判別手段とを備えた構成とすることにより、登録作業を行うガス器具の定格出力情報を事前に準備しておけば、その定格出力情報を前記情報入力手段より入力するだけで器具情報の登録作業を完了させることが可能となり、作業者の負担を軽減することができるのである。
【０００９】
第２の発明は、特に、第１の発明のガス器具の定格出力情報からは一部の流量情報を得ることができない場合は、不足分の流量情報を補完登録可能な構成とすることにより、前記ガス器具の定格出力情報から器具判別に必要な器具情報を得ることができない場合でも、器具判別に必要な器具情報を全て登録することが可能となり、前記ガス器具の定格出力情報から器具判別に必要な器具情報を全て得ることができる場合と同様に使用器具を判別することができる。
【００１０】
第３の発明は、特に、第１または２の発明の情報入力手段を、任意に着脱可能な構成とすることにより、登録作業時以外は前記情報入力手段を取り外しておくことが可能となり、流量計測装置本体を必要最低限の構成にしておくことができる。
【００１１】
第４の発明は、特に、第１または２の発明の情報入力手段及び情報換算手段を、任意に着脱可能な構成とすることにより、登録作業時以外は前記情報入力手段及び前記情報換算手段を取り外しておくことが可能となり、流量計測装置本体を必要最低限の構成にしておくことができる。
【００１２】
第５の発明は、特に、第１または２の発明の情報入力手段を、無線で接続する構成とすることにより、流量計測装置本体から離れた場所で前記情報入力手段を使用することが可能となり、登録作業に柔軟性を持たせることができる。
【００１３】
第６の発明は、特に、第１または２の発明の情報入力手段及び情報換算手段を、無線で接続する構成とすることにより、流量計測装置本体から離れた場所で前記情報入力手段及び前記情報換算手段を使用することが可能となり、登録作業に柔軟性を持たせることができる。
【００１４】
第７の発明は、特に、第１〜６のいずれか１つの発明の流量計測装置は、瞬時流量計測手段としての超音波流量計を用いた構成とすることにより、流量が変化した瞬間に器具判別動作や学習動作を作動させることができ細かく動作している器具を判別することができる。
【００１５】
以下、本発明の実施の形態について、図面を参照しながら説明する。なお、本実施の形態によって本発明が限定されるものではない。
【００１６】
（実施の形態１）
図１は、本発明の第１の実施の形態における流量計測装置のブロック図を示すものである。
【００１７】
図１において流量計測装置は、ガス流路６に流れる流量を計測する流量計測手段７と、流量計測手段７の流量値と計測された流量値が継続する時間長さの流量情報を記憶する流量情報記憶手段８と、ガス流路６に接続されたガス器具９の定格出力情報を入力する情報入力手段１０と、情報入力手段１０より入力された定格出力情報を流量情報に換算する情報換算手段１１と、情報換算手段１１から得られた流量情報によって器具情報を登録する
器具登録手段１２と、流量計測手段７で計測した流量情報と器具登録手段１２によって登録された流量情報を比較して使用器具を判別する器具判別手段１３とを備えたものである。ここで、１４と１５はガス器具、１６はガス管路、１７は流量計測装置としてのガスメータ、１８は流路遮断弁である。
【００１８】
以上のように構成された流量計測装置について、以下その動作、作用を説明する。
【００１９】
まず、ガス器具９の器具情報の登録作業について説明する。
【００２０】
器具情報の登録作業は、ガス器具９の定格出力情報を準備し、その定格出力情報を情報入力手段１０より入力することで行う。情報入力手段１０より入力された定格出力情報は情報換算手段１１より流量情報に換算され、例えば器具Ａのメモリーに器具名（１）、最大流量（１）、最小流量（１）、始動流量（１）という形で、器具登録手段１０に登録される。また器具名（１）については定格出力情報に含まれる場合は流量情報の換算時に自動的に登録されるが、定格出力情報に含まれない場合は別途メニューを設けて選択する等の手段で登録してもよい。
【００２１】
同様に、ガス器具１４についても定格出力情報を入力することで器具Ｂのメモリーに器具名（２）、最大流量（２）、最小流量（２）、始動流量（２）を登録していくのである。またガス器具１５についても手順は全く同様であり、以下登録するガス器具が増えるに従って、器具Ｃ、器具Ｄという形で順次登録していくのである。
【００２２】
このように登録作業を行うガス器具９の定格出力情報を事前に準備しておけば、その定格出力情報を情報入力手段１０より入力するだけで器具情報の登録作業を完了させることができるため、作業者の負担を軽減することができるのである。
【００２３】
なお、登録された情報は器具名及び流量情報共に登録後に訂正可能としてもよい。
【００２４】
また、定格出力情報を換算して得ることのできる流量情報は、器具判別に必要でなければ最大流量、最小流量、始動流量の全てが含まれていなくてもよいものとする。
【００２５】
（実施の形態２）
図２は、本発明の第２の実施の形態における流量計測装置のフローチャート図を示すものである。
【００２６】
図２に示すように、情報入力手段１０により入力されたガス器具９の定格出力情報は、情報換算手段１１より流量情報に換算される。次に換算された流量情報の中に器具名が登録されていなければ、器具名を補完登録する。同様に最大流量が登録されていなければ最大流量を、最小流量が登録されていなければ最小流量を、始動流量が登録されていなければをそれぞれ補完登録する。
【００２７】
このような手順で、ガス器具９の定格出力情報から器具判別に必要な器具情報を得ることができない場合でも、器具判別に必要な器具情報を全て登録することができるため、ガス器具９の定格出力情報から器具判別に必要な器具情報を全て得ることができる場合と同様に使用器具を判別することができる。
【００２８】
なお器具判別に必要でない流量情報のステップについては省略してもよいものとする。
【００２９】
また補完登録については、数値の直接入力、実機動作による情報の取得等いかなる手段を用いてもよいものとする。
【００３０】
（実施の形態３）
図３は、本発明の第３の実施の形態における流量計測装置のブロック図を示すものである。
【００３１】
図３において流量計測装置は、情報入力手段１０を、任意に着脱可能な構成とするもので、登録作業時以外は情報入力手段１０を取り外しておくことができるため、流量計測装置本体を必要最低限の構成にしておくことができる。
【００３２】
（実施の形態４）
図４は、本発明の第４の実施の形態における流量計測装置のブロック図を示すものである。
【００３３】
図４において流量計測装置は、情報入力手段１０及び情報換算手段１１を、任意に着脱可能な構成とするもので、登録作業時以外は前記情報入力手段及び前記情報換算手段を取り外しておくことができるため、流量計測装置本体を必要最低限の構成にしておくことができる。
【００３４】
（実施の形態５）
図５は、本発明の第５の実施の形態における流量計測装置のブロック図を示すものである。
【００３５】
図５において流量計測装置は、情報入力手段１０を、無線で接続する構成とするもので、流量計測装置本体から離れた場所で情報入力手段１０を使用することが可能となり、登録作業に柔軟性を持たせることができる。
【００３６】
（実施の形態６）
図６は、本発明の第６の実施の形態における流量計測装置のブロック図を示すものである。
【００３７】
図６において流量計測装置は、情報入力手段１０及び情報換算手段１１を、無線で接続する構成とするもので、流量計測装置本体から離れた場所で情報入力手段１０及び情報換算手段１１を使用できるため、登録作業に柔軟性を持たせることができる。
【産業上の利用可能性】
【００３８】
以上のように、本発明にかかる流量計測装置は、ガス流路に流れる流量を計測する流量計測手段と、前記流量計測手段の流量値と計測された流量値が継続する時間長さの流量情報を記憶する流量情報記憶手段と、前記ガス流路に接続されたガス器具の定格出力情報を入力する情報入力手段と、前記情報入力手段より入力された定格出力情報を流量情報に換算する情報換算手段と、前記情報換算手段から得られた流量情報によって器具情報を登録する器具登録手段と、前記流量計測手段で計測した流量情報と前記器具登録手段によって登録された流量情報を比較して使用器具を判別する器具判別手段とを備えることで、登録作業を行うガス器具の定格出力情報を事前に準備しておけば、その定格出力情報を前記情報入力手段より入力するだけで器具情報の登録作業を完了させることができるため、作業者の負担を軽減することができるので、ガス以外の流量測定の用途にも適用できる。
【図面の簡単な説明】
【００３９】
【図１】本発明の実施形態１における流量計測装置のブロック図
【図２】本発明の実施形態２における流量計測装置のフローチャート
【図３】本発明の実施形態３における流量計測装置のブロック図
【図４】本発明の実施形態４における流量計測装置のブロック図
【図５】本発明の実施形態５における流量計測装置のブロック図
【図６】本発明の実施形態６における流量計測装置のブロック図
【図７】従来の流量計測装置のブロック図
【符号の説明】
【００４０】
６  ガス流路
７  流量計測手段
８  流量情報記憶手段
９  ガス器具
１０  情報入力手段
１１  情報換算手段
１２  器具登録手段
１３  器具判別手段
１３  判別学習手段
１４、１５  ガス器具
１６  ガス管路
１７  ガスメータ
１８  流路遮断弁
１９  情報入力手段
２０  コネクタ
２１  コネクタ
２２  情報入力手段
２３  情報換算手段
２４  コネクタ
２５  コネクタ
２６  情報入力手段
２７  アダプタ
２８  アダプタ
２９  情報入力手段
３０  情報換算手段
３１  アダプタ
３２  アダプタ
【図１】
2008107270.tif 000003
【図２】
2008107270.tif 000004
【図３】
2008107270.tif 000005
【図４】
2008107270.tif 000006
【図５】
2008107270.tif 000007
【図６】
2008107270.tif 000008
【図７】
2008107270.tif 000009